(57)【要約】【課題】メモリカードを装着するスロットを複数個平面上に並べて配置するメモリカードスロットにおいて、全体の厚みを減じるほか、接点を接続する印刷配線回路を可及的に簡単にするようなメモリカードスロットを提供すること。【解決手段】  一枚の基板を用意し、これの上にスロットを形成するスペースを複数箇所設けて、このスペースを上蓋で覆ってメモリカードスロットを形成し、該基板上に形成された全てのメモリカードスロットが該１枚の基板上に、メモリカードの接片と接触する接触片を含む全ての配線回路を形成する。この構成を有することによって、本発明は、メモリカードスロットが平面的に配置されて全体の厚みが小さくなるほか、接点を接続する印刷配線回路を極めて簡単に形成することが出来た。【選択図】図１
2007012425.tif 000002
【特許請求の範囲】
【請求項１】
基板とこれを覆う上蓋間に形成されるスロットにメモリカードを装着するメモリカードスロットにおいて、
一枚の基板上にスロットを形成するスペースを複数箇所形成し、該スペース上にスロットを形成すると共に、該基板上に形成された全てのメモリカードスロットが該１枚の基板上に配線回路を形成することを特徴とするコンパクトメモリカードスロット。
【請求項２】
基板上のスロットは、複数種類のメモリカードが共用することを特徴とする請求項１に記載のコンパクトメモリカードスロット。
【請求項３】
メモリカードの端子片と接触する接触片が直接上記基板上に形成されていることを特徴とする請求項１に記載のコンパクトメモリカードスロット。
【発明の詳細な説明】
【技術分野】
【０００１】
本発明は、コンパクト化したメモリカードスロットの構造に関する。
【背景技術】
【０００２】
パソコンは、大きな普及をしており、今や一般人の手軽な持ち物となっている。
大きな普及を成したパソコンにおいて、内部には種々のメモリを有しているが、他人と手渡しでデータを遣り取りしたり、他人からのデータを記憶したメモリからデータを取り入れたりする場合、メモリカードと称する半導体記憶装置を利用した外部メモリを用いることがある。この種の外部メモリは、今や十種類近くにもおよび、それぞれの構造が皆異なっている。この種メモリカードすべての形状構造にパソコンを対応させるためには、メモリカードスロットというアタッチメントを必要とする。このアタッチメントの中に、メモリカードを差し込むスロットを平板上に複数個並べたものがある。
【特許文献１】特開２００１−２２３０４４号公報
【特許文献２】実開平６−１３０７１号公報
【発明の開示】
【発明が解決しようとする課題】
【０００３】
メモリカードスロットは、複数の接触片を設けた１枚の基板上にメモリカードが挿入されるスロットを設けた中子を置き、その上にカバーを被せてメモリカードスロットを形成する。これらのメモリカードスロットは、１個のスロットを複数個のメモリカードで共用することが多いので、基板上やカバーの裏側には、極めて多くの接触片が取り付けられている。そして、このように構成されたメモリカードスロットを大きな基板上に並べて配置している。このため、従来の装置では、メモリカードスロットを纏めて取り付けるための大きな基板と、そのうえに、接触片を形成した基板をもったメモリカードスロットが配置されていた。このため、基板が２枚となって装置全体の厚みが増すほか、回線構造を両方の基板に設けなければならず、構造を複雑にしていた。
【０００４】
本発明は、上述のような従来の不都合を防止しようとするものであって、その目的は、メモリカードを装着するスロットを複数個平面上に並べて配置するメモリカードスロットにおいて、全体の厚みを減じるほか、接点を接続する印刷配線回路を可及的に簡単にするようなメモリカードスロットを提供することにある。
【課題を解決するための手段】
【０００５】
上記のごとき本発明の目的を達成するために、本願の請求項１に記載の発明は、基板とこれを覆う上蓋間に形成されるスロットにメモリカードを装着するメモリカードスロットにおいて、一枚の基板上にスロットを形成するスペースを複数箇所形成し、該スペース上にスロットを形成すると共に、該基板上に形成された全てのメモリカードスロットが該１枚の基板上に配線回路を形成することを特徴とするコンパクトメモリカードスロットを提供する。
本願の請求項２に記載の発明は、請求項１に記載の発明に加えて、基板上のスロットは、複数種類のメモリカードが共用することを特徴とするコンパクトメモリカードスロットを提供する。
本願の請求項３に記載の発明は、請求項１に記載の発明に加えて、メモリカードの端子片と接触する接触片が直接上記基板上に形成されていることを特徴とするコンパクトメモリカードスロットを提供する。
【発明の効果】
【０００６】
一枚の基板上にメモリカードを収容するスロットを複数形成し、かつ、該スロットが形成するメモリカードスロットの配線回路を該１枚の基板上の形成して、この基板を共用しているので、メモリカードスロットが平面的に配置されて全体の厚みが小さくなるほか、接点を接続する印刷配線回路を極めて簡単に形成することが出来た。
【発明を実施するための最良の形態】
【０００７】
一枚の基板を用意し、これの上にスロットを形成するスペースを複数箇所設けて、このスペースを上蓋で覆ってメモリカードスロットを形成し、該基板上に形成された全てのメモリカードスロットが該１枚の基板上に、メモリカードの接片と接触する接触片を含む全ての配線回路を形成する。
【実施例】
【０００８】
次に本発明の一実施の形態を図面を用いて詳細に説明する。
図１は、本発明を３つの部分に分解して示した斜視図である。メモリカードスロット１は、最下層に１枚の板体からなる基板２を有する。基板２の両面には、印刷配線回路が形成され、その裏面側には、幾つかの電子部品が取り付けられている。またその表面側には、メモリカードの端子片と接触する接触片３、４、５が設けられ、これらは、外部と連結する端子片と図示しない配線回路で接続される。基板２には、後に述べる中子を取り付けるための貫通孔６が複数個開けられている。７、８は、基板２の上面に取り付けられる中子である。
【０００９】
中子７は、”コ”字状に形成されて、メモリカードが挿入されるスペース９を形成し、この両側にはグルーブ１０が形成される。中子７の下面側には、基板２方向に向けて、固着足１１が突出されている。この固着足１１は、基板２に開けられこれと位置が同じ貫通孔６に嵌め込まれ、熱融着等の固着方法がとられて、中子７が基板２に固着される。中子７が基板２に固着される時、基板２に形成された接触片３、４は、スペース９の中に位置する。
【００１０】
中子８も”コ”字状に形成されて、メモリカードが挿入される２つのスペース１２、１３を形成する。中子８の下面側には、基板２方向に向けて、固着足１４が突出されている。この固着足１４は、基板２に開けられこれと位置が同じ貫通孔６に嵌め込まれ、熱融着等の固着方法がとられて、中子８が基板２に固着される。中子８が基板２に固着される時、基板２に形成された接触片５は、スペース１２の中に位置する。
【００１１】
中子７、８が基板２上に固着された後、これらの上には、上蓋１５、１６が覆う。上蓋１５は、中子７の上を覆を覆い、その側壁１７下端には、固着足１８が基板２方向に延びており、この固着足１８は、基板２上でこれと位置が同じ貫通孔６に嵌め込まれ、熱融着等の固着方法がとられて、上蓋１５が基板２に固着されると同時に、中子７をも覆う。上蓋１６の内側には、段差１９が形成され、この段差１９内には、メモリカードの端子片と接触する接触片２０が設けられる。上蓋１６の側壁２１下端には、固着足２２が基板２方向に延びており、この固着足２２は、基板２上でこれと位置が同じ貫通孔６に嵌め込まれ、熱融着等の固着方法がとられて、上蓋１６が基板２に固着されると同時に、中子８をも覆う。また、接触片２０は、上蓋１６の後端方向に引き出され、それらの端部は、上蓋が１６が基板に固定された際これの後端に形成された端子口２３と電気的機械的に接続される。
【００１２】
図２は、メモリカードスロット１を組み立てた状態を示す全体の斜視図である。この状態において、本発明のメモリカードスロット１は、Ａタイプのメモリカードと、Ｂタイプのメモリカードとが装着できるＡブロックのカードスロットと、Ｃタイプのメモリカードと、Ｄタイプのメモリカードとが装着できるＢブロックのカードスロットが、一枚の基板２上に並んで配置される。ＡブロックもＢブロックも共に基板２を共用しているので、配線回路は、従来のものより簡単になる。
【産業上の利用可能性】
【００１３】
以上本願発明はパソコンの内部に組み込んで使用できるほか、マルチカード使用スロットとしコンユータの付属装置や携帯電話、音響機器にも利用の可能性がある。
また、上記実施例は、１枚の基板上に２枚のメモリカードスロットを形成したが、メモリカードスロットの数は、２枚に限ることなく、３個以上のもっと多くのメモリカードスロットを形成することも出来る。上記実施例は、１のメモリカードと他のメモリカードが共に占有するスロットの一部を共用しているものについて説明したが、本発明を、１のメモリカードと他のメモリカードが、それぞれスロットの別々の部分を使用しているものについても適用できることはいうまでもない。
【図面の簡単な説明】
【００１４】
【図１】図１は、メモリカードスロットの分解斜視図である。
【図２】図２は、メモリカードスロットの斜視図である。
【符号の説明】
【００１５】
１・・・メモリカードスロット
２・・・基板
３・・・接触片
４・・・接触片
５・・・接触片
６・・・貫通孔
７・・・中子
８・・・中子
９・・・スペース
１０・・・グルーブ
１１・・・固着足
１２・・・スペース
１３・・・スペース
１４・・・固着足
１５・・・上蓋
１６・・・上蓋
１７・・・側壁
１８・・・固着足
１９・・・段差
２０・・・接触片
２１・・・側壁
２２・・・固着足
２３・・・端子口  
【図１】
2007012425.tif 000003
【図２】
2007012425.tif 000004